(57)【要約】      （修正有）【課題】グリップ部とひも状部の係脱が可能であり、しかもひも状部を傷つけることのないひも状係止具と、その係止具を使用したマッサージ具及びとびなわを提供する。【解決手段】ひも状係止具は、リング部３０とグリップ部４０を具備する。グリップ部４０の一端にひも配置部４１とひも係止相手部４２を有し、先端に係止部２４，２４′を配置したひも状部２１，２１′を、リング部３０に挿通しひも配置部４１に配置されるとともにひも係止相手部４２にひも状部２１，２１′の係止部２４，２４′を係止し、リング部３０の係合部３３，３４が、グリップ部４０の係合部相手部４２に係合してグリップ部４０と一体となることでひも状部２１，２１′を係止する。【選択図】図３
0003185964.tif 000002
【実用新案登録請求の範囲】
【請求項１】
マッサージ具やとびなわのひも状係止具であって、該ひも状係止具は、リング部とグリップ部を具備し、該グリップ部の一端にひも配置部とひも係止相手部を有し、少なくともひも状部の先端に係止部を配置した該ひも状部を、前記リング部に挿通しひも配置部に配置されるとともにひも係止相手部に前記ひも状部の係止部を係止し、前記リング部の係合部が、グリップ部の係合部相手部に係合してグリップ部と一体となることで前記ひも状部を係止することを特徴とするひも状係止具。
【請求項２】
マッサージ具やとびなわの係止具であって、該係止具は、リング部とグリップ部を具備し、該グリップ部の一端にひも配置部とひも係止相手部を有し、前記ひも配置部に隔壁部を設け、該隔壁部において、２つのひも状部を隔てて係止することを特徴とする請求項１記載のひも状係止具。
【請求項３】
マッサージ具やとびなわの係止具であって、該係止具は、リング部とグリップ部を具備し、該グリップ部の一端にひも配置部とひも係止相手部を有し、前記ひも配置部の内部にひも回転相手部を有することを特徴とする請求項１記載のひも状係止具。
【請求項４】
請求項２記載のひも状係止具を用いるマッサージ具であって、当該マッサージ具は２つのひも状部を有し、前記２つのひも状部にそれぞれ回転軸を配置し、該回転軸に、突起を付加した回動可能な回転体を配置したことを特徴とするマッサージ具
【請求項５】
請求項１または３記載のひも状係止具を用いてひも状部を係止したことを特徴とするとびなわ。
【考案の詳細な説明】
【技術分野】
【０００１】
本考案は、ひも状部に回転可能な突起物がついたマッサージ具や、とびなわに使用するひも状係止具に関するものである。
【背景技術】
【０００２】
ひも状部に回転可能な突起物がついたマッサージ具や、とびなわは、当該ひも状部を強く引っ張るために容易に外れない構成にする必要がある。このため従来は、手で持つためのグリップと結びつけて固定したり、前記ひも状部に結び目を作り、それをグリップ内において引掛けることによって係止していた。この場合一度、グリップときつく結ばれたひも状部との結び目が固くなって、ほどけない場合があり、特にとびなわとして使用していくうちに、とびなわが引っ張られることにより該結び目が一層きつく締められて容易にはほどけないといった状態になっていた。
【０００３】
また、ひも状部を金属製のリングに通しこのリングをつぶして該ひも状部を挟み込んで固定し該リングをグリップの内部に係止するという手段も講じられていた。この場合リングに挟み込まれたひも状部に傷が付くことになるためにそのひも状部の強度が低下し、この挟み込まれた部分から破断する虞れがある。また、ひも状部を取り換える場合においては、このリングを取り外さなくてはならないが、このリングはひも状部を固定するためにつぶされているので、これを取り外すのは容易なことではない。従ってこれを取り外すためには、ひも状部を切断して、新たなリングに通したうえで、上記工程と同様の工程を得なければならず不便であって。
【０００４】
そこで、実開昭６１−９４０５０号において、グリップ部Ａ、及び軟質合成樹脂で形成してなる中空状のロープｂの外形より大きい外形を有する基部１の一端からおねじ２を突設した係止体Ｃとからなり、前記ロープＢの端部孔４より前記係止体ｃのおねじ２を押圧螺合し、該ロープｂをグリップ部４の筒対３内に前記係止体Ｃを介して係止めしたことを特徴とするとび縄、なる考案が開示されている。
【０００５】
上記考案は、ひも状部を中空にしなければならず、特にひも状部に突起物を取り付けたマッサージ具において強度の点で応用できるものではない。また、ひも状部の端部に係止体ｃのおねじ２を押圧螺合しなければならず、結果的にひも状部に傷をつけるものとなり、その傷をつけられた部分が弱体化し、使用していくに従ってその弱体化された部分が切断される虞があるといった問題を避けることができない。
【０００６】
痛がって、ひも状部の内部におねじ部をねじ入れて係止したものであり、軟質合成樹脂性のひも状部が係止体でのみ係止され固定されているので、この係止された部分が、外れれば、固定できないといった問題がある。また、ひも状部においても、その全体を中空構造としなければならず、上記のとおり強度の点で、マッサージ具に適さないのみならず、とびなわにおいても適当ではない。
【０００７】
【特許文献１】実開昭６１−９４０５０号
【考案の開示】
【考案が解決しようとする課題】
【０００８】
本考案は前記の実情に鑑みてなされたもので、その課題は、グリップ部とひも状部の係脱が可能であり、しかもひも状部を傷つけることのないひも状係止具を提供することである。また、その係止具を使用したマッサージ具やとびなわを提供することである。
【課題を解決するための手段】
【０００９】
前記の課題を解決するため、本考案は、マッサージ具やとびなわのひも状係止具であって、該ひも状係止具は、リング部とグリップ部を具備し、該グリップ部の一端にひも配置部とひも係止相手部を有し、少なくともひも状部の先端に係止部を配置した該ひも状部を、前記リング部に挿通しひも配置部に配置されるとともにひも係止相手部に前記ひも状部の係止部を係止し、前記リング部の係合部が、グリップ部の係合部相手部に係合してグリップ部と一体となることで前記ひも状部を係止するという手段を講じたものである。
【００１０】
上記考案によれば、ひも状部の先端に予め係止部を形成しているので、ひも状部をリング部に挿通した後に、さらにグリップ部におけるひも配置部にひも状部を配置するともに当該ひも状部の係止部を係止相手部に係止することで、後述するようにひも状部における矢印Ｘ方向の引っ張りに対して、係止されることになる。さらに、該リング部をグリップ部に係合させることでグリップ部における後述するＹ方向の力に対しても係止することができる。
【００１１】
また、ひも状部をグリップ部から取り外すためには、リング部の係合部とグリップ部の係合部相手部との係合を解除すればひも状部を容易に取り外せ、グリップ部とひも状部の係脱が容易に行うことができる。また、この場合ひも状部を傷つける虞れが無い。
【００１２】
また本考案は、マッサージ具やとびなわの係止具であって、該係止具は、リング部とグリップ部を具備し、該グリップ部の一端にひも配置部とひも係止相手部を有し、前記ひも配置部に隔壁部を設け、該隔壁部において、２つのひも状部を隔てて係止するという手段を講じたものである。
【００１３】
ひも配置部の一部に隔壁を設けているために、マッサージ具において、該隔壁部において、２つのひも状部を隔てて係止することができるために、ひも状部を２つ使用することができる。よって２つのひも状部のそれぞれが、リング部とひも配置部に配置されるとともにひも係止相手部に、前記２つのひも状部のそれぞれの係止部がそれぞれ係止され、かつ、リング部で抑えられ、さらにそれぞれのひも状部を隔壁部で抑えることができるので、２つのひも状部を確実に係止することができる。
【００１４】
また本考案は、マッサージ具やとびなわの係止具であって、該係止具は、リング部とグリップ部を具備し、該グリップ部の一端にひも配置部とひも係止相手部を有し、前記ひも配置部の内部にひも回転相手部を有するという手段を講じたものである。
【００１５】
上記係止具におけるグリップ部におけるひも配置部の内部にひも回転相手部を有するので、ひも状部の先端の係止部がひも係止相手部に係止され、ひも状部がひも回転相手部に配置されるのでひも状部が回転可能に係止されマッサージ具のみならずとびなわにも好適な係止具を提供することができる。
【００１６】
また本考案は、前記ひも状係止具を用いるマッサージ具であって、当該マッサージ具は２つのひも状部を有し、前記２つのひも状部にそれぞれ回転軸を配置し、該回転軸に、突起を付加した回動可能な回転体を配置するという手段を講じたものである。
【００１７】
上記のとおり前記ひも状係止具は、リング部とグリップ部を具備し、該グリップ部の一端にひも配置部とひも係止相手部を有し、前記ひも配置部に隔壁部を設け、該隔壁部を介して２つのひも状部を係止すると云う係止具を有しているために、マッサージ具に２つのひも状部を有している場合において当該２つのひも状部を確実にグリップ部に係止することができ、さらに、その２つのひも状部にそれぞれ回転軸を設けることができ、その回転軸の間に突起を付加した回転押圧部を設けることができるので、マッサージ具に好適である。
【００１８】
また本考案は、前記ひも状係止具を用いてひも状部を係止するという手段を講じたとびなわである。本考案に係るとびなわのひも状部はひも状係止具に係止され、該係止具は、リング部とグリップ部を具備し、該グリップ部の一端にひも配置部とひも係止相手部を有し、前記ひも配置部の内部にひも回転相手部を有するものである。とびなわにおけるひも状部を上記構成の係止具に係止することで、ひも状部が回転可能の係止されることで、なわとびに使用するのに適するものであり、ひも状部もリング部を取り外すことで容易に脱着することができる。
【００１９】
本考案は以上のように、グリップ部とひも状部の係脱が可能であり、しかもひも状部を傷つけることのない係止具を提供することができる。また、その係止め具を使用したマッサージ具やとびなわを提供することができる。
【考案を実施するための最良の形態】
【００２０】
以下、図示の実施形態を参照して、本考案をより詳細に説明する。図１は、マッサージ具の全体斜視図である。図２は、マッサージ具におけるひも状係止具の斜視図である。図３のＡは、マッサージ具におけるひも状係止具の分解斜視図である。Ｂは、ひも状部における他の実施例の斜視図である。図４は、グリップ部にひも状部とリング部を組み入れた状態の下方から上方における断面図である。図６は、とびなわにおけるひも状係止具の斜視図である。図７のＡは、とびなわにおけるひも状係止具の分解斜視図である。Ｂは、ひも状部における他の実施例の斜視図である。
【００２１】
好ましい実施例によれば、マッサージ具１０における係止具２０は、ひも状部２１を係止するために、リング部３０とグリップ部４０で構成される。前記ひも状部２１には、回転軸２２を有し、他のひも状部２１′おいても回転軸２２を有し、その回転軸２２、２２との間に回転可能な回転押圧部２３を有し、前記ひも状部２１、２１′は、それぞれリング部２０、２０を介してグリップ部３０、３０に接続されている。使用者はグリップ部４０、４０を握って、回転押圧部３３における回転突起２３ａを身体に押し当てて、マッサージすることができる。
【００２２】
ひも状部２１、２１′の先端に、それぞれ球状の係止部２４を有する。ひも状部２１、２１′は平坦な帯とも呼べるもので、柔軟な合成樹脂で形成されている。尚、ひも状部２５、２５′においては長さを調節するために、係止部２４はひも状部２５、２５′の先端のみならず、第２係止部２４ａおよび第３係止部２４ｂをその途中に設けることもできる。この場合、前記先端の係止部２４以外の第２係止部２４ａを使用する場合は、第２係止部２４ａの先のひも状部２５ａを切断することで長さを調節することができる。また第３係止部２４ｂについても同様であり、第３係止部２４ｂの先のひも状部２５ｂを切断することで長さを調節することができる。
【００２３】
リング部３０は、ほぼ円筒形であり、その先端部３１が後端部３２と比して若干細いテーパー状である。また、第１係合部３３は、リング部３０の内部において環状に形成されている。第２係合部３４も、リング部３０の内部において環状に形成されている。尚、リング部３０についても合成樹脂で形成されている。
【００２４】
グリップ部４０は、その一端にひも配置部４１を有し、それと連なるようにその一端から若干奥まった位置、すなわちＸ方向と反対方向にひも係止相手部４２を有する。ひも配置部４１に、ひも状部２１が配置され、ひも係止相手部４２は、ひも状部２１の先端に配置されている球状の係止部２４が係止される。ひも配置部４１の幅をひも係止相手部４２の幅よりも小とすることで、ひも状部２１を矢印Ｘ方向に抜けないようにしている。
【００２５】
グリップ部４０にほぼ環状の第１係合部相手部４３および第２係合部相手部４４を配置している。後述するようにそれぞれ、前記リング部３０の内部において環状に形成されている第１係合部３３と第２係合部３４と係合することができる。また本実施例では２本のひも状部２１、２１′を係合することができる。すなわち、グリップ３０において、隔壁部４５を設け、ひも配置部４１の一部を上下（Ｙ軸方向）に分割した構成である。従って、ひも状部２１、２１′を隔壁部４５で隔て、グリップ部４０とリング部３０で、確実に固定することができる。また、前記ひも配置部４１の一部とそれと連なるひも係止相手部４２は、該隔壁部４５が及んでおらず、上下（Ｙ軸方向）に分割されていない。従って、ひも係止相手部４２は、その内部で該隔壁部４５で隔てられておらず貫通された構成である。
【００２６】
グリップ部４０に滑り止め部４６を複数配置する。この滑り止め部４６は、使用者が握る部分であり、前記マッサージ具１０を使用する際に滑りにくくするものである。また、グリップ部４０の他端には孔部４７が配置されている。孔部４７は、壁等の突起にこれに引掛けて、マッサージ具１０を保管することができるものである。尚、図３Ａにおいて、Ｘ軸周りに１８０度回転した場合においても、図３Ａと同一の形状を呈するものである。すなわち、ひも状部２１′を上にし、ひも状部２０を下にした１８０度回転した場合においても、図３Ａと同一の形状を呈するものである。従って、図３Ａにおけるグリップ部４０の裏側においても、滑り止め部４６が複数配置されている。また、孔部４７については、表裏、すなわち上下（Ｙ軸方向）において貫通するものである。
【００２７】
マッサージ具１０におけるひも状部２１をグリップ部４０に組み込む場合において、当該ひも状部２１をまずリング部３０に通す。その後ひも状部２１の係止部２４をグリップ部４０におけるひも係止相手部４２に係止した後に、ひも配置部４１にひも状部２１を配置する。この状態において矢印Ｘ方向にひも状部２１、が抜けないようになっている。
【００２８】
その後、上記のとおりひも状部２１の係止部２４をグリップ部４０におけるひも係止相手部４２に係止した後に、ひも配置部４１にひも状部２１を配置した状態のまま、リング部３０をグリップ部４０と係合する。すなわち、リング部３０における第１係合部３３と第２係合部３４をそれぞれ、グリップ部４０における第１係合部相手部４３と第２係合部相手部４４と係合させる。
【００２９】
上記の状態において、ひも状部２１が矢印Ｘ方向に抜けないような状態のまま、矢印Ｙ方向にもリング部３０によって抜けないように係止される。尚、別のひも状部２１′も同様に上記ひも状部２１を取り付けるのと同時にグリップ部４０とリング部３０に取り付ける。すなわちグリップ部４０に、ひも状部２１の係止部２４をグリップ部４０におけるひも係止相手部４２に係止した後に、ひも配置部４１にひも状部２１を配置する。とほぼ同時に、図３Ａにおいて、Ｘ軸周りに１８０度回転した場合におけるグリップ部４０に、ひも状部２１′の係止部２４をグリップ部４０におけるひも係止相手部４２に係止した後に、ひも配置部４１にひも状部２１′を配置する。尚、図３ＡにおいてＸ軸周りに１８０度回転した場合におけるグリップ部４０のひも係止相手部４２及びひも配置部４１は、図３Ａと同一であるため図示しない。
【００３０】
もっともグリップ部４０における隔壁部４５で、ひも状部２１とひも状部２１′が、分離されることになるが、当該隔壁部４５は、ひも配置部４１の一部に形成されており、その他の部分は隔てられていない。すなわち、ひも配置部４１における隔壁部４５を配置していないひも配置部４１の一部とひも係止相手部４２は、Ｙ軸方向に貫通された構成であり（図３、図４参照）、図４における図面手前側から奥行き側に貫通された構成である。
【００３１】
上記のとおりひも配置部４１の一部に隔壁部４５が形成されていることから、ひも状部２１と２１′が隔壁部４５とリング部２０の間に保持されているので、それらひも状部２１と２１′を、係止具２０に確実に固定することができることは上述したとおりである。尚、ひも状部２５と２５′についても同様である。従って、マッサージ具１０におけるひも状部２１、２１′を配置することができ、そのそれぞれに回転軸２２、２２を有し、その回転軸２２、２２との間に回転突起２３ａを配置した回転押圧部２３を有することで、使用者はグリップ部４０、４０を握って、前記回転押圧部３３に回転突起２３ａを身体に押し当てて、マッサージすることができることはすでに述べたとおりである。
【００３２】
第２実施例については第１実施例と同様の部分については同じ符号を用いて説明は省略する。とびなわ５０におけるひも状係止具６０は、ひも状部６１を係止するためのリング部３０とグリップ部７０で構成され、ひも状部６１は、その断面が円形でありその先端には球状の係止部６４が配置されている。尚、複数の係止部６４ａ、係止部６４ｂを有していても好ましい。ひも状部６５の長さ調節についてはひも状部２５と同様であり、係止部６４は、ひも状部６５の先端のみならず、第２係止部６４ａおよび第３係止部６４ｂをその途中に設けることもできる。この場合、前記先端の係止部６４以外の第２係止部６４ａを使用する場合は、第２係止部６４ａの先のひも状部６５ａを切断することで長さを調節することができる。また第３係止部６４ｂについても同様であり、第３係止部６４ｂの先のひも状部６５ｂを切断することで長さを調節することができる。
【００３３】
またグリップ部７０については、ひも配置部７１とひも係止相手部７２を有している。ひも配置部７１は、係止相手部７２よりのその幅が小であり、ひも状部６１における係止部６４が、係止相手部６２に係止された場合において、矢印Ｘ方向に抜けないようになっている。
【００３４】
ひも回転相手部７３においては、係止相手部７２よりもその幅が少であるが、ひも配置部７１よりも大きく形成されている。とびなわ５０におけるひも状部６１をグリップ部７０に組み込む場合において、当該ひも状部６１をまずリング部３０に通す。その後ひも状部６１の係止部６４をグリップ部７０におけるひも係止相手部７２に係止した後に、ひも配置部７１を通してひも回転相手部７３にひも状部６１を配置する。この状態でリング部２０とグリップ部７０を係合させる。すなわち、リング部３０における第１係合部３３と第２係合部３４をそれぞれ、グリップ部７０における第１係合部相手部４３と第２係合部相手部４４と係合させる。
【００３５】
ひも状部６１は、ひも回転相手部７３に配置されるが、ひも回転相手部７３はひも配置部６１よりもその幅が大であるために、係止相手部７２にひも状部６１の係止部６４が係止されつつそのひも回転相手部７３の内部においてひも状部６１は回転することができるので特にとびなわに使用するのが好ましくなわとびを快適に行うことができる。
【００３６】
なお、この状態において、上記のとおり、ひも係止相手部７２とひも状部６１における係止部６４は係止されているので矢印Ｘ方向に抜けることはなく、また、リング部３０によって矢印Ｙ方向に抜けるということもない。又、ひも状部６１の脱着もリング部３０とグリップ部７０の係合を解けば簡単することができる。尚、ひも状部６５についても同様である。尚、図７Ａにおいて、Ｘ軸周りに１８０度回転した場合においても、図７Ａと同一の形状を呈するものである。従って、図７Ａにおけるグリップ部７０の裏側においても、滑り止め部４６が複数配置されている。また、孔部４７については、表裏において貫通するものである。
【図面の簡単な説明】
【００３７】
【図１】マッサージ具の全体斜視図。
【図２】マッサージ具におけるひも状係止具の斜視図。
【図３】Ａは、マッサージ具におけるひも状係止具の分解斜視図。Ｂは、ひも状部における他の実施例の斜視図。
【図４】グリップ部にひも状部とリング部を組み入れた状態において下方から上方における断面図。
【図５】とびなわの全体斜視図。
【図６】とびなわにおけるひも状係止具の斜視図。
【図７】Ａは、とびなわにおけるひも状係止具の分解斜視図。Ｂは、ひも状部における他の実施例の斜視図。
【符号の説明】
【００３８】
１０、マッサージ具
２０、６０、係止具
２１、２１′２５、６１、６５、ひも状部
２２、回転軸
２３、回転押圧部
２４、２４′、６４係止部
２４ａ、第２係止部
２４ｂ、第３係止部
３０、リング部
３１、先端部
３２、後端部
３３、第１係合部
３４、第２係合部
４０、７０、グリップ部
４１、７１、ひも配置部
４２、７２、ひも係止相手部
４３、第１係合部相手部
４４、第２係合部相手部
４５、隔壁部
４６、滑り止め部
４７、孔部
５０、とびなわ
７３、ひも回転相手部
【図１】
0003185964.tif 000003
【図２】
0003185964.tif 000004
【図３】
0003185964.tif 000005
【図４】
0003185964.tif 000006
【図５】
0003185964.tif 000007
【図６】
0003185964.tif 000008
【図７】
0003185964.tif 000009